(57)【要約】    【課題】  駆動ピン等の駆動部材で直接遮光部材を駆動する方式で、複数の遮光部材を小さなスペースに重ねて退避させることができる、小型でかつ薄型の光量調節装置を提供する。    【解決手段】  光量調節装置は、光通過口３を有するベース部材４と、該光通過口から退避する退避位置と該光通過口を覆う遮光位置との間で、ベース部材に設けられた共通の軸部６，７を中心に回動が可能であり、退避位置において光軸方向にて重なり合う第１の遮光部材１ｂ，２ｂおよび第２の遮光部材１ａ，２ａと、該第１および第２の遮光部材を回動駆動する駆動部材５とを有する。退避位置および遮光位置からの駆動部材による第１の遮光部材の駆動開始タイミングと第２の遮光部材の駆動開始タイミングとが互いに異なる。    【選択図】  図１
2006098522.tif 000002
【特許請求の範囲】
【請求項１】
光通過口を有するベース部材と、
該光通過口から退避する退避位置と該光通過口を覆う遮光位置との間で、前記ベース部材に設けられた共通の軸部を中心に回動が可能であり、前記退避位置において光軸方向にて重なり合う第１および第２の遮光部材と、
該第１および第２の遮光部材を回動駆動する駆動部材とを有し、
前記退避位置および前記遮光位置からの前記駆動部材による前記第１の遮光部材の駆動開始タイミングと前記第２の遮光部材の駆動開始タイミングとが互いに異なることを特徴とする光量調節装置。
【請求項２】
前記遮光位置において、前記第１の遮光部材は前記第２の遮光部材よりも前記退避位置から離れて位置し、
前記第２の遮光部材の前記駆動開始タイミングは、前記第１の遮光部材の前記駆動開始タイミングよりも遅いことを特徴とする請求項１に記載の光量調節装置。
【請求項３】
前記第１の遮光部材は前記駆動部材との係合が可能な第１の係合部を有し、かつ前記第２の遮光部材は前記駆動部材との係合が可能な第２の係合部を有し、
前記第２の係合部は、前記第１の係合部より遅く前記駆動部材に係合することを特徴とする請求項２に記載の光量調節装置。
【請求項４】
前記第２の遮光部材は、前記駆動部材が挿入され、内端面を前記第２の係合部とする開口部を有し、
該開口部は、前記第１の係合部に係合した前記駆動部材の非係合状態での移動を許容する開口寸法を有することを特徴とする請求項３に記載の光量調節装置。
【請求項５】
前記退避位置および前記遮光位置のそれぞれにおいて、前記第２の遮光部材の回動を阻止するストッパーを有することを特徴とする請求項１から４のいずれか１つに記載の光量調節装置。
【請求項６】
前記第１および第２の遮光部材は、前記ベース部材に設けられた第１の軸部を中心に第１の退避位置と第１の遮光位置との間で回動し、
さらに前記第１および第２の遮光部材にそれぞれ対応する遮光部材であって、前記ベース部材に設けられた第２の軸部を中心に第２の退避位置と第２の遮光位置との間で回動可能な第３および第４の遮光部材を有し、
前記各退避位置および前記各遮光位置からの前記駆動部材による前記第１および第３の遮光部材の駆動開始タイミングと、前記第２および第４の遮光部材の駆動開始タイミングとが互いに異なることを特徴とする請求項１から５のいずれか１つに記載の光量調節装置。
【請求項７】
前記第１および第２の遮光位置において、
前記第１の遮光部材は前記第２の遮光部材よりも前記第１の退避位置から離れて位置し、前記第３の遮光部材は前記第４の遮光部材よりも前記第２の退避位置から離れて位置し、
前記第１から第４の遮光部材のうち回動方向において隣り合う遮光部材の前記開口部を覆う部分の一部が光軸方向にて重なり合い、かつ前記第２および第４の遮光部材の前記開口部を覆う部分が光軸方向にて重ならないように位置することを特徴とする請求項６に記載の光量調節装置。
【請求項８】
光通過口を有するベース部材と、
該光通過口から退避する第１の退避位置と該光通過口を覆う第１の遮光位置との間で回動が可能であり、前記第１の退避位置において光軸方向にて重なり合う第１および第２の遮光部材と、
前記光通過口から退避する第２の退避位置と該光通過口を覆う第２の遮光位置との間で回動が可能であり、前記第２の退避位置において光軸方向にて重なり合う第３および第４の遮光部材と、
前記第１から第４の遮光部材を回動駆動する駆動部材とを有し、
前記第１および第２の遮光部材は、前記ベース部材に設けられた第１の軸部を中心に回動し、前記第３および第４の遮光部材は、前記ベース部材における前記駆動部材の作動領域を挟んで前記第１の軸部とは反対側に設けられた第２の軸部を中心に回動することを特徴とする光量調節装置。
【請求項９】
光通過口を有するベース部材と、
該光通過口から退避する第１の退避位置と該光通過口を覆う第１の遮光位置との間で、前記ベース部材に設けられた第１の軸部を中心に回動が可能であり、前記第１の退避位置において光軸方向にて重なり合う第１および第２の遮光部材と、
前記光通過口から退避する第２の退避位置と該光通過口を覆う第２の遮光位置との間で、前記ベース部材に設けられた第２の軸部を中心に回動が可能であり、前記第２の退避位置において光軸方向にて重なり合う第３および第４の遮光部材と、
前記第１から第４の遮光部材を回動駆動する駆動部材とを有し、
前記第１および第２の遮光位置において、
前記第１の遮光部材は前記第２の遮光部材よりも前記第１の退避位置から離れて位置し、前記第３の遮光部材は前記第４の遮光部材よりも前記第２の退避位置から離れて位置し、
前記第１から第４の遮光部材のうち回動方向において隣り合う遮光部材の前記開口部を覆う部分の一部が光軸方向にて重なり合い、かつ前記第２および第４の遮光部材の前記開口部を覆う部分が光軸方向にて重ならないように位置することを特徴とする光量調節装置。
【請求項１０】
請求項１から９のいずれか１つに記載の光量調節装置を有し、
該光量調節装置により像面に到達する光量を制御することを特徴とする光学機器。
【請求項１１】
請求項１から９のいずれか１つに記載の光量調節装置と、
該光量調節装置を通過した光を光電変換する撮像素子とを有することを特徴とする撮影装置。
【発明の詳細な説明】
【技術分野】
【０００１】
本発明は、デジタルカメラなどの光学機器に用いられる光量調節装置に関し、特にシャッタ装置として好適な光量調節装置に関する。
【背景技術】
【０００２】
デジタルカメラやカメラ付き携帯電話等の光学機器（ないし撮影装置）では、撮像素子の高画素化によってメカニカルシャッタを搭載する必要性が高くなっている。また、カメラ自体の小型化や高倍率ズームレンズの搭載などにより、全開口径は比較的大きいまま、シャッタ装置の外形をできるだけ小型且つ薄型化することが必要となっている。
【０００３】
従来のカメラ用光量調節装置（シャッタ装置）の代表的なものは、図１３に示すように、露出開口部１０１を開閉するように支点１０６，１０７を中心に回動する２枚のシャッタ羽根１０２，１０３と、これらシャッタ羽根１０２，１０３に形成した長穴部に係合して該２枚のシャッタ羽根１０２，１０３を相反する向きに作動させる駆動ピン１０５によって構成される。
【０００４】
しかし、このような２枚羽根構成の光量調節装置においては、シャッタ羽根が露出開口部から退避した位置にあるとき、即ちシャッタが全開となったときに、露出開口部の外周にシャッタ羽根の幅と同等以上のシャッタ羽根の退避スペースが必要であり、小型化に限界があった。
【０００５】
これを解決する方法として、シャッタ羽根を３枚以上に分割して各シャッタ羽根を小面積化し、全開時に複数の羽根を重ねて退避させることにより、退避スペースを小さくして、シャッタ装置の小型化を図ることが提案されている。
【０００６】
例えば、特許文献１にて提案の光量調節装置では、露出開口部の回りを回動するリング部材によって複数のシャッタ羽根を作動させる。また、特許文献２にて提案の光量調節装置では、２枚で１群をなして往復運動するシャッタ羽根群を２群用い、計４枚のシャッタ羽根を共通の支点を中心に回動可能とするとともに、各シャッタ羽根に形成された、駆動ピンと係合するカム溝部の形状を変えて各シャッタ羽根の回動速度を制御することにより、各シャッタ羽根の回動量（回動角度）を変更する。さらに、特許文献３にて提案の光量調節装置では、４枚のシャッタ羽根の回動支点をそれぞれ異なる位置に配置することにより、駆動ピンの作動量に対する各シャッタ羽根の回動角度を異ならせる。これらにより、それぞれ全開時に複数のシャッタ羽根が重なり合うようにしている。
【特許文献１】実開平０２−１２１７３０号公報（実用新案登録請求の範囲、第１図等）
【特許文献２】実開昭６４−００４４２１号公報（実用新案登録請求の範囲、第１図、第４図等）
【特許文献３】特開平０９−３１１３６３号公報（段落００１５〜００２０、図１〜３等）
【発明の開示】
【発明が解決しようとする課題】
【０００７】
しかしながら、特許文献１にて提案のように、リング部材を回動させる方法では、駆動ピンでシャッタ羽根を直接駆動する場合に比べて、レンズが近接配置されることが多い露出開口部付近の厚みがリング部材の分厚くなる。このため、該光量調節装置を備えたレンズユニットの光軸方向の薄型化に支障をきたす。また、リング部材およびこれを駆動する機構が、駆動ピンによる直接駆動する場合に比べて複雑になりやすい。
【０００８】
さらに、特許文献２にて提案のように、各シャッタ羽根のカム溝部の形状を異ならせる方法では、各シャッタ羽根の回動のための共通の支点を光軸（つまりは光通過口）から大きく離して配置せざるを得ず、駆動ピンの周辺部分が光軸から離れた方向に突出し、シャッタ装置の小型化に支障をきたす。
【０００９】
さらに、特許文献３にて提案のように、シャッタ羽根の回動支点をシャッタ羽根ごとに異なる位置に配置する方法では、シャッタ羽根の枚数分だけ支点を設けなければならず、駆動ピンの周辺において回動支点が占める面積が増えるという弊害がある。このため、光量調節装置における駆動ピン周辺の形状に制約を与え、ひいてはシャッタ装置の小型化を妨げる。また、シャッタ羽根が他のシャッタ羽根の支点に干渉しないように作動するために、シャッタ羽根の形状が複雑化する傾向がある。
【００１０】
本発明は、駆動ピン等の駆動部材で直接遮光部材を駆動する方式で、複数の遮光部材を小さなスペースに重ねて退避させることができる、小型でかつ薄型の光量調節装置を提供することを目的の１つとしている。
【課題を解決するための手段】
【００１１】
１つの観点としての本発明の光量調節装置は、光通過口を有するベース部材と、該光通過口から退避する退避位置と該光通過口を覆う遮光位置との間で、ベース部材に設けられた共通の軸部を中心に回動が可能であり、退避位置において光軸方向にて重なり合う第１および第２の遮光部材と、該第１および第２の遮光部材を回動駆動する駆動部材とを有する。そして、退避位置および遮光位置からの駆動部材による第１の遮光部材の駆動開始タイミングと第２の遮光部材の駆動開始タイミングとが互いに異なる。
【００１２】
また、他の観点としての本発明の光量調節装置は、光通過口を有するベース部材と、該光通過口から退避する第１の退避位置と該光通過口を覆う第１の遮光位置との間で回動が可能であり、第１の退避位置において光軸方向にて重なり合う第１および第２の遮光部材と、該光通過口から退避する第２の退避位置と該光通過口を覆う第２の遮光位置との間で回動が可能であり、第２の退避位置において光軸方向にて重なり合う第３および第４の遮光部材と、第１から第４の遮光部材を回動駆動する駆動部材とを有する。そして、第１および第２の遮光部材は、ベース部材に設けられた第１の軸部を中心に回動し、第３および第４の遮光部材は、ベース部材における駆動部材の作動領域を挟んで第１の軸部とは反対側に設けられた第２の軸部を中心に回動する。
【００１３】
さらに他の観点としての本発明の光量調節装置は、光通過口を有するベース部材と、該光通過口から退避する第１の退避位置と該光通過口を覆う第１の遮光位置との間で、ベース部材に設けられた第１の軸部を中心に回動が可能であり、第１の退避位置において光軸方向にて重なり合う第１および第２の遮光部材と、該光通過口から退避する第２の退避位置と該光通過口を覆う第２の遮光位置との間で、ベース部材に設けられた第２の軸部を中心に回動が可能であり、第２の退避位置において光軸方向にて重なり合う第３および第４の遮光部材と、第１から第４の遮光部材を回動駆動する駆動部材とを有する。そして、第１および第２の遮光位置において、第１の遮光部材は第２の遮光部材よりも第１の退避位置から離れて位置し、第３の遮光部材は第４の遮光部材よりも第２の退避位置から離れて位置し、さらに第１から第４の遮光部材のうち回動方向において隣り合う遮光部材の該開口部を覆う部分の一部が光軸方向にて重なり合い、かつ第２および第４の遮光部材の開口部を覆う部分が光軸方向にて重ならないように位置する。
【発明の効果】
【００１４】
上記のように、第１の遮光部材の駆動開始タイミングと第２の遮光部材の駆動開始タイミングとを異ならせることにより、遮光部材に設けたカム溝部によって両遮光部材の回動速度を制御することなく、両遮光部材の回動角度を異ならせることができ、共通の軸部を光通過口（光軸）に近づけて配置することが可能となる。したがって、駆動部材の周辺部分を光通過口に近づけてまとめて配置することができ、光量調節装置の小型化を図ることができる。
【００１５】
また、第１および第２の遮光部材の共通の回動支点（第１の軸部）と第３および第４の遮光部材の共通の回動支点（第２の軸部）とに分けることにより、全ての遮光部材に対して共通の支点を設ける場合に比べて装置の厚み（光軸方向寸法）を小さく抑えることができ、さらに遮光部材の枚数分支点を設ける場合に比べて駆動部材の周辺における回動支点が占める面積を小さくすることができる。このため、装置の小型化および薄型化を図ることができる。しかも、両回動支点を駆動部材の作動領域の両側に振り分けて配置することにより、駆動部材の作動領域および光通過口に関して対称形状に遮光部材や軸部を配置することができる。したがって、遮光部材の形状および駆動機構の単純化を図ることができ、装置のより小型化等を図ることができる。
【００１６】
さらに、遮光位置において、回動方向にて隣り合う遮光部材同士が光軸方向にて重なり合い、かつ第２および第４の遮光部材の開口部を覆う部分が光軸方向にて重ならないように位置することにより、遮光位置での遮光機能を確保することできるとともに、各遮光部材の小型化を図ることができる。したがって、遮光位置において第２および第４の遮光部材が重なり合うようにこれら遮光部材を大きく形成する場合に比べて、退避位置における遮光部材の退避スペースを小さくすることができ、装置を小型化することができる。
【発明を実施するための最良の形態】
【００１７】
以下、本発明の実施例について図面を参照しながら説明する。
【実施例１】
【００１８】
図１から図９には、本発明の実施例１である光量調節装置としてのシャッタ装置の構成を示している。図１において、シャッタ装置は、光を通過させる開口（光通過口）３を有するベース部材としてのシャッタ地板４と、開口３の周辺部を覆う第２の遮光部材としてのサブ羽根１ａおよび開口３の光軸ＡＸＬ付近を覆う第１の遮光部材としてのメイン羽根１ｂからなる第１羽根群１と、開口３における光軸ＡＸＬを挟んでサブ羽根１ａとは反対側の周辺部を覆うサブ羽根２ａおよびメイン羽根１ｂとともに開口３の光軸ＡＸＬ付近を覆うメイン羽根２ｂからなる第２羽根群２とを有する。
【００１９】
さらに、シャッタ装置は、これらの羽根群１，２を開口３から退避する位置（以下、全開位置という）と、開口３を覆う位置（以下、全閉位置という）との間でそれぞれ相反する方向に回動させる駆動ピン（駆動部材）５を有する。なお、第１羽根群１の全開位置（第１の退避位置）と第２羽根群２の全開位置（第２の退避位置）とは開口３を挟んで互いに反対側にある。また、第１羽根群１の全閉位置（第１の遮光位置）は、開口３における光軸ＡＸＬ付近から該第１羽根群１の全開位置側の領域を覆う位置であり、第２羽根群２の全閉位置（第２の遮光位置）は、開口３における光軸ＡＸＬ付近から該第２羽根群２の全開位置側の領域を覆う位置である。
【００２０】
なお、本実施例のシャッタ装置において、実際には各部材の係合には遊びないしガタが存在するため、全開位置や全閉位置は絶対的に１つの位置とは限らず、上記ガタ等による許容誤差を含む実質的に同一位置とみなせる範囲を意味する。
【００２１】
各シャッタ羽根は、遮光性と潤滑性とを有する、厚さ０．０５〜０．１５ｍｍの熱可塑性プラスチックシートをプレス加工して形成したものである。これにより、シャッタ羽根を複数枚使用するにも関わらず、軽量化と薄型化が達成できる。
【００２２】
駆動ピン５は、図８に示すモータ構造によって光軸直交方向（図中の上下方向）に円弧状の軌跡で往復作動する。このモータ構造は、永久磁石からなるロータマグネット１６と、駆動コイル１７が装着されてロータマグネット１６に対向配置された２つの磁極を有するステータヨーク１８とにより構成されている。ロータマグネット１６には駆動ピン５が一体的に形成されている。
【００２３】
ステータヨーク１８は、ロータマグネット１６に、シャッタ羽根の全開位置と全閉位置の２箇所の方向への付勢力となるディテントトルクを発生させるとともに、駆動コイル１７への電流の印加方向によってロータマグネット１６の回転方向を制御する。これにより、駆動ピン５は、シャッタ羽根の全開位置から全閉位置若しくは全閉位置から全開位置との間で停止することなく連続して作動する。なお、ロータマグネット１６に２方向のうち一方に選択的に付勢力を与えることができれば、バネ等を用いた他の方法で付勢力を与えるようにしてもよい。
【００２４】
シャッタ地板４には、第１羽根群１の回動中心となり、サブ羽根１ａとメイン羽根１ｂとに形成された丸穴部を貫通する支点軸（第１の軸部）６と、第２羽根群２の回動中心となり、サブ羽根２ａとメイン羽根２ｂとに形成された丸穴部を貫通する支点軸（第２の軸部）７が設けられている。駆動ピン５の作動領域（円弧状の軌跡）は、これら２つの支点軸６，７の間に配置されている。これにより、支点軸６，７とこれらにより支持される羽根群１，２とを駆動ピン５および開口部３に関して対称となるように配置することができ、各羽根の形状および駆動ピン５を含む駆動機構の単純化を図ることができる。
【００２５】
ここで、サブ羽根１ａおよびサブ羽根２ａの丸穴部は、支点軸６，７に対して、これらサブ羽根１ａ，２ａが回動するのに必要最小限の遊び量を有して係合している。また、サブ羽根１ａおよびサブ羽根２ａには、図２に示すように駆動ピン５が挿入される駆動長穴部１ｃ，２ｃが形成されており、該駆動長穴部１ｃ，２ｃは、図６に示すように、駆動ピン５の作動方向に比較的大きな遊び量Ｌを持っている（但し、図６には長穴部１ｃのみ示す）。この遊び量Ｌは、後述するように、メイン羽根１ｂ，２ｂと係合してこれらを駆動している駆動ピン５の、該長穴部１ｃ，２ｃに対する非係合状態での作動を許容する領域を形成する。
【００２６】
また、メイン羽根１ｂおよびメイン羽根２ｂの丸穴部は、支点軸６，７に対して、これらメイン羽根１ｂ，２ｂが回動するのに必要最小限の遊び量を有して係合している。また、メイン羽根１ｂおよびメイン羽根２ｂには、図４に示すように、駆動ピン５が挿入される駆動長穴部１ｆ，２ｆが形成されているが、図７に示すように、該長穴部１ｆ，２ｆは、駆動ピン５の作動方向に最小限の遊び量しか有していない（図７には駆動長穴部１ｆのみ示す）。
【００２７】
すなわち、本実施例のシャッタ装置では、サブ羽根１ａ，２ａが駆動ピン５の作動に対して応答しない期間を持つのに対して、メイン羽根１ｂ，２ｂは駆動ピン５の作動に対して全期間において応答する。言い換えれば、全開位置および全閉位置からの駆動ピン５によるメイン羽根１ｂ，２ｂの駆動開始タイミングから遅れて、サブ羽根１ａ，２ａの駆動が開始される。
【００２８】
また、図１に示すように、サブ羽根１ａ，２ａには、光軸ＡＸＬと駆動ピン５とを結ぶ線Ａに対して左右対称に形成された、シャッタ地板４に設けられたストッパーピン８が挿入されるストッパー長穴部９，１０を有する。このストッパー長穴部９，１０は、図２および図６に示すように、サブ羽根１ａ，２ａが駆動ピン５により全開位置に回動されたときに当接する内端面９ａ，１０ａと、全閉位置に回動されたとき当接する内端面９ｂ，１０ｂとを有する。なお、図７に示すように、メイン羽根１ｂ，２ｂは、全開位置以外の作動範囲においては、ストッパーピン８とは当接しない形状を有する。
【００２９】
さらに、シャッタ地板４には、メイン羽根ストッパー１１，１２が設けられている。メイン羽根ストッパー１１は、図４に示すように全開位置にあるメイン羽根１ｂに当接してそれ以上の該メイン羽根１ｂの開方向への回動を阻止し、また、図５に示すように全閉位置にあるメイン羽根２ｂに当接してそれ以上の該メイン羽根２ｂの閉方向への回動を阻止する。一方、メイン羽根ストッパー１２は、全開位置にあるメイン羽根２ｂに当接してそれ以上の該メイン羽根２ｂの開方向への回動を阻止し、また、全閉位置にあるメイン羽根１ｂに当接してそれ以上の該メイン羽根１ｂの閉方向への回動を阻止する。各メイン羽根におけるメイン羽根ストッパー１１，１２への当接部位は互いに異なる。
【００３０】
上記のように構成されたシャッタ装置は、図９に示すように、デジタルカメラ３０の撮影光学系２１内に配置され（図９にはシャッタ地板４を示している）、第１および第２羽根群１，２の開閉動作によって、ＣＣＤセンサやＣＭＯＳセンサ等の撮像素子１５に到達する光量（露光量）を制御する。
【００３１】
次に、本実施例のシャッタ装置の作動方法について説明する。本実施例では、図９に示すデジタルカメラ３０に搭載された場合について説明するが、カメラ付き携帯電話や静止画記録機能付きデジタルビデオカメラ等の光学機器ないし撮影装置に搭載することも可能である。
【００３２】
まず、カメラに設けられたシャッタレリーズボタン（図示せず）が押される前は、図４に示すように、第１羽根群１および第２羽根群２とも、メイン羽根１ｂ，２ｂとサブ羽根１ａ，２ａが光軸方向にて重なり合って開口部３から退避している。すなわち、シャッタ装置は全開状態にある。このとき、開口部３を通過した光は撮像素子１５上に結像している。
【００３３】
この状態で、図２に示すように、駆動ピン５は、前述したディテントトルクによって光軸ＡＸＬから遠ざかる方向に付勢されている。該駆動ピン５は、サブ羽根１ａ，２ａの駆動長穴部１ｃ，２ｃの内端面１ｅ，２ｅに当接して該サブ羽根１ａ，２ａを開方向に付勢する。また、ストッパーピン８がサブ羽根１ａ，２ａのストッパー長穴部９，１０の内端面９ａ，１０ａに当接する。ストッパーピン８と内端面９ａ，１０ａとの当接が無いと、サブ羽根１ａ，２ａは図６に示した遊び量Ｌ分だけ開口部３に対して自由に動いてしまうが、この当接によりサブ羽根１ａ，２ａは全開位置に保持される。
【００３４】
また、メイン羽根１ｂ，２ｂには、図４に示すように駆動ピン５から開方向に付勢力が加わっているが、駆動ピン５とメイン羽根１ｂ，２ｂの駆動長穴部１ｆ，２ｆとは図７に示すように駆動ピン５の作動方向には回動に必要な遊びのみを有して係合しているため、メイン羽根１ｂ，２ｂは駆動ピン５のみでも全開位置に保持される。但し、メイン羽根ストッパー１１，１２に全開位置のメイン羽根１ｂ，２ｂを当接させることにより、駆動ピン５のみで保持する場合に比べて、メイン羽根１ｂ，２ｂをより確実に全開位置で位置決めできる。
【００３５】
このようにシャッタ装置が全開状態にあるとき、各羽根群は、駆動ピン５の付勢力と、ストッパーピン８とサブ羽根１ａ，２ａのストッパー長穴部９，１０（内端面９ａ，１０ａ）との当接と、メイン羽根ストッパー１１，１２とメイン羽根１ｂ，２ｂとの当接とによって、ふらつくことなく重なり合った状態に保持される。
【００３６】
次に、レリーズボタンが押されると、撮像素子１５はそれまで蓄積した電荷を放出し、その後、所定露光量の電荷を蓄積した後、シャッタ装置はコイル１７への通電によって羽根群１，２を閉じる。これにより、撮像素子１５の露光が終了する。そして、撮像素子１５は、蓄積した電荷を不図示の画像処理回路に転送する。
【００３７】
コイル１７に通電されると、駆動ピン５は光軸ＡＸＬに近づく方向に作動する。駆動ピン５の作動が開始すると、該駆動ピン５と駆動長穴部１ｆ，２ｆとの係合によってメイン羽根１ｂ，２ｂは直ちに閉方向に回動を開始するが、サブ羽根１ａ，２ａは、図６に示す遊び量Ｌの分だけ駆動ピン５が駆動長穴部１ｃ，２ｃ内を移動して該駆動長穴部１ｃ，２ｃの内端面１ｄ，２ｄに当接するまでは停止しており、該当接によって回動を開始する。
【００３８】
このとき、メイン羽根１ｂ，２ｂは、図４および図５に示すように、開口部３における駆動ピン５に近い側１９，２０から順次重なり合っていくが、サブ羽根１ａ，２ａ同士は図２および図３のように、開口部３を覆う部分（以下、開口部内という）で重なり合わない。また、第１および第２羽根群１，２において、メイン羽根１ｂ，２ｂとサブ羽根１ａ，２ａはほぼ全体が重なり合っていた退避状態から展開していき、その重なり量が減少していく。
【００３９】
その後、駆動ピン５がさらに光軸ＡＸＬに近づく方向に移動していくと、やがて図３に示すようにストッパーピン８にサブ羽根１ａ，２ｂのストッパー長穴部９，１０の内端面９ｂ，１０ｂに当接し、かつ図５に示すように、メイン羽根１ｂ，２ｂがメイン羽根ストッパー１２，１１に当接する。この状態がシャッタ装置の全閉状態である。
【００４０】
このとき、回動方向にて隣り合うメイン羽根１ｂ，２ｂ同士は、図５に示すように、開口部３内において、該メイン羽根１ｂ，２ｂの開方向側の部分で重なり合う。また、同様に回動方向にて隣り合うメイン羽根１ｂとサブ羽根１ａ同士およびメイン羽根２ｂとサブ羽根２ａ同士とはそれぞれ、開口部３内において一部が重なり合っている。これにより、図５に示すように、４枚のシャッタ羽根による完全な遮光状態となり、撮像素子１５に向かう光を遮断する。
【００４１】
但し、この状態でもサブ羽根１ａ，２ａ同士は、回動方向において離れて位置し、開口部３内で重なっていない。このため、これらを重ね合わせるようにサブ羽根１ａ，２ａを形成する（例えば、サブ羽根をより光軸ＡＸＬ側に延びる形状とする）場合に比べて、該サブ羽根１ａ，２ａを小型化することができる。したがって、シャッタ地板４における開口部３の周囲部分である羽根退避スペースを小さくすることができ、シャッタ装置の小型化（小径化）を図ることができる。
【００４２】
また、このときメイン羽根１ｂ，２ｂにおいてメイン羽根ストッパー１２，１１に当接する部分は、図４に示す全開状態においてメイン羽根ストッパー１１，１２に当接する部分とは異なっている。このように、全開状態と全閉状態とで、メイン羽根１ｂ，２ｂにおけるメイン羽根ストッパー１１，１２に当接する部分を異ならせることで、共通のメイン羽根ストッパー１１，１２を利用してメイン羽根１ｂ，２ｂを全開位置と全閉位置とに位置決めすることができ、メイン羽根ストッパーを有するシャッタ地板の構成を簡単にすることができる。但し、全開位置のメイン羽根ストッパーと全閉位置のメイン羽根ストッパーとを別々に設けてもよい。
【００４３】
このような全閉状態において、各羽根群は、駆動ピンの付勢力と、ストッパーピン８とサブ羽根１ａ，２ａのストッパー長穴部９，１０（内端面９ｂ，１０ｂ）との当接と、メイン羽根ストッパー１１，１２とメイン羽根１ｂ，２ｂとの当接とによって、ふらつくことなく保持される。
【００４４】
なお、駆動ピン５によってサブ羽根１ａ，２ａの全開位置からの駆動が開始された後、ストッパーピン８とストッパー長穴部９，１０とが当接するまでの間、サブ羽根１ａ，２ａの長穴部１ｃ，２ｃ内において駆動ピン５の作動方向とは反対側に遊び量Ｌの空間が形成されることになるが、本実施例においてはこの間で駆動ピン５が停止若しくは減速しないので、各羽根の回動中を除いて常にストッパーピン８とストッパー長穴部９，１０とが当接する。すなわち、全開位置および全閉位置において、駆動ピン５とストッパーピン８は各羽根の回動方向に対して逆方向に力を加えることになるため、不用意に羽根が動くことはない。
【００４５】
以上のようにしてシャッタ装置が全閉状態となり、その後、撮像素子１５からの電荷転送が終了すると、コイル１７への逆方向通電が行われ、シャッタ装置は再び全開状態に向かって作動する。このときの各部の動作は、前述した全開位置から全閉位置の動作と逆方向の動作であり、詳しい説明は省略する。
【００４６】
なお、メイン羽根１ａ，２ａとメイン羽根ストッパー１１，１２との全開位置および全閉位置での当接は、それぞれの位置での羽根の位置決めという目的の他に、サブ羽根よりも回動量の多いメイン羽根が全開位置および全閉位置で急激に停止するために、駆動ピン５とそれに係合する各羽根の駆動長穴部の内端面とに負荷が集中して羽根が変形したり、サブ羽根が該内端面に衝突して跳ね返ったりする（いわゆるバウンド現象が生ずる）のを防止する目的もある。
【実施例２】
【００４７】
本発明の実施例２について図１０および図１１を用いて説明する。なお、本実施例において実施例１と共通の構成要素には、実施例１と同符号を付す。
【００４８】
本実施例は、サブ羽根１ａ，２ａの全開位置および全閉位置での位置決めを、ストッパーピン８ではなく、メイン羽根ストッパー１１，１２と、シャッタ地板４における開口部３の周囲であって、開口部３を挟んで支点軸６，７とは反対側に設けられたサブ羽根ストッパー１３，１４とにサブ羽根１ａ，２ａを当接させることにより行う点が実施例１と異なる。
【００４９】
すなわち、図１０に示すように、全開位置にあるサブ羽根１ａ，２ａをメイン羽根ストッパー１１，１２との当接によって位置決めし、図１１に示すように、全閉位置にあるサブ羽根１ａ，２ａをサブ羽根ストッパー１３，１４に当接させて位置決めする。なお、図１０ではメイン羽根１ｂ，２ｂを省略している。
【００５０】
本実施例によれば、実施例１に比べて、メイン羽根１ｂ，２ｂにストッパーピンとの干渉を避けるための形状を設ける必要がないので、メイン羽根の形状を単純化できる。また、サブ羽根１ａ，２ａの回動停止時に該羽根にかかる負荷がストッパーピンを使用したときよりも緩和することができる。
【００５１】
なお、本実施例では、サブ羽根１ａ，２ａの全開位置での位置決めにメイン羽根ストッパー１１，１２を用いた場合について説明したが、メイン羽根ストッパー１１，１２とは別にサブ羽根専用のストッパーを設けてもよい。
【実施例３】
【００５２】
本発明の実施例３について図１２を用いて説明する。なお、本実施例において実施例１と共通の構成要素には、実施例１と同符号を付す。
【００５３】
本実施例は、メイン羽根１ｂ，２ｂの全開位置および全閉位置での位置決めを、メイン羽根ストッパー１１，１２ではなく、実施例１と同様のストッパーピン８とメイン羽根１ｂ，２ｂに形成したストッパー長穴部４１，４２の内端面との当接により行う点で、実施例１，２と異なる。位置決め原理は、実施例１におけるサブ羽根１ａ，２ａの位置決めと同様である。
【００５４】
本実施例によれば、メイン羽根ストッパー１１，１２が不要となるので、シャッタ装置のさらなる小型化を図ることができる。特に、開口部３の径（開放口径）が小さいシャッタ装置においては、相対的にメイン羽根の質量も小さくなるため好適である。
【００５５】
なお、本実施例においては、メイン羽根とサブ羽根とを共にストッパーピン８のみで位置決めする場合について説明したが、実施例１，２で説明したように、羽根の外周部とストッパーとの当接によって位置決めする方法と併用してもよい。
【００５６】
また、上記各実施例では、２つの支点軸のそれぞれによって２枚のシャッタ羽根を回動可能に支持した４枚羽根構成のシャッタ装置について説明したが、各支点軸で支持するシャッタ羽根の枚数は３枚以上であってもよい。この場合、該３枚以上のシャッタ羽根のうち、例えば回動方向にて隣り合う２枚のシャッタ羽根を第１および第２の遮光部材若しくは第３および第４の遮光部材として考えることができる。
【００５７】
また、上記各実施例では、２つの支点軸を有するシャッタ装置について説明したが、支点軸を１つのみとした２枚羽根構成のシャッタ装置にも本発明を適用することができる。
【００５８】
さらに、本実施例ではシャッタ装置について説明したが、本発明は、絞り装置として機能する光量調節装置若しくは絞り機能とシャッタ機能とを併せ持つ光量調節装置についても適用することができる。
【図面の簡単な説明】
【００５９】
【図１】本発明の実施例１であるシャッタ装置の正面図。
【図２】実施例１のシャッタ装置におけるサブ羽根が全開位置にあるときの正面図。
【図３】実施例１のシャッタ装置におけるサブ羽根が全閉位置にあるときの正面図
【図４】実施例１のシャッタ装置における全開状態での正面図。
【図５】実施例１のシャッタ装置における全閉状態での正面図。
【図６】実施例１のシャッタ装置における駆動ピンと全開位置でのサブ羽根と関係を示す説明図。
【図７】実施例１のシャッタ装置における駆動ピンと全開位置でのメイン羽根との関係を示す説明図。
【図８】実施例１のシャッタ装置におけるモータ構造の説明図。
【図９】実施例１のシャッタ装置を組込んだデジタルカメラの概略図。
【図１０】本発明の実施例２であるシャッタ装置におけるサブ羽根が全開位置にあるときの正面図。
【図１１】実施例２のシャッタ装置における全閉状態での正面図。
【図１２】本発明の実施例３であるシャッタ装置の全閉状態での正面図。
【図１３】従来の２枚羽根シャッタ装置の正面図。
【符号の説明】
【００６０】
１  第１羽根群
２  第２羽根群
１ａ，２ａ  サブ羽根
１ｂ，２ｂ  メイン羽根
３  開口部
４  シャッタ地板
５  駆動ピン
６，７  支点軸
８  ストッパーピン
９ａ，９ｂ，１０ａ，１０ｂ  ストッパー長穴部の内端面
１１，１２  メイン羽根ストッパー
１３，１４  サブ羽根ストッパー
１５  撮像素子
１６  ロータマグネット
１７  駆動コイル
１８  ステータヨーク
【図１】
2006098522.tif 000003
【図２】
2006098522.tif 000004
【図３】
2006098522.tif 000005
【図４】
2006098522.tif 000006
【図５】
2006098522.tif 000007
【図６】
2006098522.tif 000008
【図７】
2006098522.tif 000009
【図８】
2006098522.tif 000010
【図９】
2006098522.tif 000011
【図１０】
2006098522.tif 000012
【図１１】
2006098522.tif 000013
【図１２】
2006098522.tif 000014
【図１３】
2006098522.tif 000015